(57)【要約】【課題】パスワードを使用しないで認証を行える認証装置を提供する。【解決手段】認証装置１は、複数のデバイスのそれぞれに設定された１以上の状態値を含むルールが記憶されるルール記憶部１２と、端末２から認証要求が受信されたなら、ルール記憶部１２からルールを読み出し、各デバイス３から通信回線を介して状態値が取得されたなら、取得された各状態値が当該ルールにおいて対応する状態値に一致するか否かを判定する状態判定部１４と、認証要求を受信し、取得された各状態値がルールの状態値に一致すると判定されたなら、認証成功を示す認証結果を端末２に送信する一方、取得されたいずれかの状態値がルールの状態値に一致しないと判定されたなら、認証失敗を示す認証結果を端末２に送信する受付応答部１１とを備える。【選択図】図１
2015207083.tif 000002
【特許請求の範囲】
【請求項１】
複数のデバイスのそれぞれに設定された１以上の状態値を含むルールが記憶されるルール記憶部と、
端末から認証要求が受信されたなら、前記ルール記憶部からルールを読み出し、前記各デバイスから通信回線を介して状態値が取得されたなら、前記取得された各状態値が当該ルールにおいて対応する状態値に一致するか否かを判定する状態判定部と、
前記認証要求を受信し、前記取得された各状態値がルールの状態値に一致すると判定されたなら、認証成功を示す認証結果を前記端末に送信する一方、前記取得されたいずれかの状態値がルールの状態値に一致しないと判定されたなら、認証失敗を示す認証結果を前記端末に送信する受付応答部と
を備えることを特徴とする認証装置。
【請求項２】
前記ルール記憶部は２以上のルールを記憶し、
前記認証装置は、
デバイスの普及率をデバイスごとに記憶するデバイス普及率記憶部と、
２つ以上のデバイスが同じユーザにより使用される確率である組み合わせ適用率が２つ以上のデバイスからなる組み合わせの種類ごとに記憶される組み合わせ適用率記憶部と、
１つのルールが生成されたら、当該ルールで規定される各デバイスにつき、前記デバイス普及率記憶部からデバイス普及率を読み出し、前記ルール記憶部から他のルールを読み出し、当該各デバイスについて、前記１つのルール内の当該デバイスについての状態値が特異である程度を示す状態値特異度を前記１つのルールと前記他のルールを用いて算出し、当該各デバイスにつき、前記デバイス普及率と前記状態値特異度の積であるデバイス特異度を算出し、前記組み合わせ適用率記憶部から、当該各デバイスの全てが同じユーザに使用される確率である組み合わせ適用率を読み出し、前記各デバイス特異度と前記組み合わせ適用率の積であるルール特異度を算出するルール特異度算出部と
を備えることを特徴とする請求項１記載の認証装置。
【請求項３】
複数のデバイスのそれぞれに設定された１以上の状態値を含むルールが記憶されるルール記憶部を備える認証装置の動作方法であって、
前記認証装置の受付応答部が、端末から認証要求が受信し、
前記認証装置の状態判定部が、前記端末から認証要求が受信されたなら、前記ルール記憶部からルールを読み出し、前記各デバイスから通信回線を介して状態値が取得されたなら、前記取得された各状態値が当該ルールにおいて対応する状態値に一致するか否かを判定し、
前記受付応答部が、前記取得された各状態値がルールの状態値に一致すると判定されたなら、認証成功を示す認証結果を前記端末に送信する一方、前記取得されたいずれかの状態値がルールの状態値に一致しないと判定されたなら、認証失敗を示す認証結果を前記端末に送信する
ことを特徴とする認証装置の動作方法。
【請求項４】
請求項１または２記載の認証装置としてコンピュータを機能させるためのコンピュータプログラム。
【発明の詳細な説明】
【技術分野】
【０００１】
本発明は、パスワードを使用しないで認証を行える認証装置および認証装置の動作方法に関するものである。
【背景技術】
【０００２】
従来において、インターネット上のＥＣ（エレクトリックコマース）サイトでの商品購入、あるいはメールの閲覧などを行う場合、一般的にユーザＩＤとパスワードの入力やＩＣカードを利用することによる認証が必要となる。特に昨今では、インターネットバンキングなどでの不正防止のためより高い安全性が求められている。また、子供が、害のあるコンテンツへアクセスするのを抑止するためのペアレンタルロックにおいても高い安全性の認証が必要である。また昨今では、ＤＬＮＡ（Digital Living Network Alliance）やＥＣＨＯＮＥＴ  Ｌｉｔｅに代表される家電デバイスと通信するためのプロトコルが普及し、パーソナルコンピュータ（ＰＣ）やスマートフォンなどから家庭内の様々なデバイスの状態を確認したり、操作したりすることができるようになった。これらの扱いにおいても、不正な家電操作が行われると事故や事件を招く恐れがある。
【０００３】
このように認証は、情報や財産、教育の観点からサービスや家電を安全に利用・運用するために重要な機能となっている一方で、ユーザＩＤ、パスワード、ＩＣカードの紛失時のリスクが高い。
【０００４】
これに対し特許文献１では、ＩＤやパスワードなどを使わず、サービスプロバイダ事業者装置を設置し、利用している回線の利用者情報を元に認証する発明が開示されている。
【０００５】
ところで、家庭内のデバイスを効率良く操作するために、非特許文献１では、デバイスやセンサの状態をコンテキストとして捉え、操作実行の条件となるルールを簡潔に記述する提案がなされている。また非特許文献２では、連鎖する複数のコンテキストからサービス選択を制御する提案がなされている。
【先行技術文献】
【特許文献】
【０００６】
【特許文献１】特開２０１２−７３７５４号公報
【非特許文献】
【０００７】
【非特許文献１】西垣弘二, 安本慶一, 柴田直樹, & 伊藤実. (2004). コンテキストに基づいた情報家電の連携を実現するためのフレームワークおよびルールベース言語の提案 (フレームワーク). 情報処理学会研究報告. UBI,[ユビキタスコンピューティングシステム], 2004(112), 21-27.
【非特許文献２】前田潤, 福田健一, 木下和彦, & 村上孝三. (2008). 情報の連想的結合によるコンテクストアウェアサービス制御方式 (ネットワーク). 電子情報通信学会論文誌. B, 通信, (1), 22-34.
【発明の概要】
【発明が解決しようとする課題】
【０００８】
前述のように、ネットワークのサービスや家電を利用しようとする際に、ＩＤやＩＣカードなどを用いると紛失や不正利用の可能性がある．
特許文献１では、ＩＤやパスワードを使わず、利用している回線により認証する発明が開示されているが、宅内に侵入され回線に接続されてしまうと不正に利用される恐れがある。
【０００９】
また、ネットワークに繋がる家電の状態を利用して何らのアクションを実行させる先行事例として非特許文献１があるが、家電の状態の変化をトリガがなければ期待するアクションを実行させることができない。非特許文献２でも同様に、前提コンテキストと呼ぶユーザの居場所などの状態検知のトリガが必要となる。
【００１０】
本発明は、上記の課題に鑑みてなされたものであり、その目的とするところは、パスワードを使用しないで認証を行える認証装置を提供することにある。
【課題を解決するための手段】
【００１１】
上記の課題を解決するために、第１の本発明は、複数のデバイスのそれぞれに設定された１以上の状態値を含むルールが記憶されるルール記憶部と、端末から認証要求が受信されたなら、前記ルール記憶部からルールを読み出し、前記各デバイスから通信回線を介して状態値が取得されたなら、前記取得された各状態値が当該ルールにおいて対応する状態値に一致するか否かを判定する状態判定部と、前記認証要求を受信し、前記取得された各状態値がルールの状態値に一致すると判定されたなら、認証成功を示す認証結果を前記端末に送信する一方、前記取得されたいずれかの状態値がルールの状態値に一致しないと判定されたなら、認証失敗を示す認証結果を前記端末に送信する受付応答部とを備えることを特徴とする。
【００１２】
第２の本発明は、複数のデバイスのそれぞれに設定された１以上の状態値を含むルールが記憶されるルール記憶部を備える認証装置の動作方法であって、前記認証装置の受付応答部が、端末から認証要求が受信し、前記認証装置の状態判定部が、前記端末から認証要求が受信されたなら、前記ルール記憶部からルールを読み出し、前記各デバイスから通信回線を介して状態値が取得されたなら、前記取得された各状態値が当該ルールにおいて対応する状態値に一致するか否かを判定し、前記受付応答部が、前記取得された各状態値がルールの状態値に一致すると判定されたなら、認証成功を示す認証結果を前記端末に送信する一方、前記取得されたいずれかの状態値がルールの状態値に一致しないと判定されたなら、認証失敗を示す認証結果を前記端末に送信することを特徴とする。
【発明の効果】
【００１３】
本発明によれば、パスワードを使用しないで認証を行え、よって、パスワード紛失の虞がなく、パスワードをユーザが憶えたり、パスワードを端末内に記憶させたりすることを不要にできる。
【図面の簡単な説明】
【００１４】
【図１】第１の実施の形態に係る認証装置の構成を示す図である。
【図２】ルール記憶部１２に記憶されるルールの一例を示す図である。
【図３】ルール生成部１５の動作を示すフローチャートである。
【図４】受付応答部１１、状態値取得部１３、状態判定部１４の動作を示すフローチャートである。
【図５】状態値取得で使用される電文の一例を示す図である。
【図６】第２の実施の形態に係る認証装置の構成を示す図である。
【図７】デバイス普及率記憶部１６に記憶されるデバイス普及率の一例を示す図である。
【図８】組み合わせ適用率記憶部１７に記憶される組み合わせ適用率の一例を示す図である。
【図９】ルール生成部１５、ルール特異度算出部１８の動作を示すフローチャートである。
【図１０】ルール特異度の算出方法を示す模式図である。
【図１１】デバイス普及率、状態値特異度、デバイス特異度、ルール特異度の一例を示す図である。
【発明を実施するための形態】
【００１５】
以下、本発明の実施の形態について図面を参照して説明する。
【００１６】
[第１の実施の形態]
図１は、第１の実施の形態に係る認証装置の構成を示す図である。
【００１７】
図において、認証装置１は、複数のユーザのそれぞれを認証するためのものであり、例えば、各ユーザが使用する端末２からアクセス可能なインターネットなどの網内に設けられる。認証装置１は、各ユーザがユーザ宅などで使用するデバイス３に通信回線を介して接続される。端末２は、例えば、スマートフォンやパーソナルコンピュータである。
【００１８】
なお、認証装置１は、端末２からアクセス可能であれば、デバイス３を含む網のゲートウェイ装置に設けてもよい。
【００１９】
認証装置１は、端末２から認証要求を受信し、認証要求により行われた判定の結果に基づく認証結果を端末２に送信する受付応答部１１、認証のためのルールが予め記憶されるルール記憶部１２、認証に際しデバイス３から状態値を取得する状態値取得部１３、状態値がルールに整合するかを判定する状態判定部１４、端末２から指示によりルールを生成し、ルール記憶部１２に記憶させるルール生成部１５を備える。
【００２０】
図２は、ルール記憶部１２に記憶されるルールの一例を示す図である。
【００２１】
図２（ａ）のルールは、あるユーザに使用される１つのデバイス３（例えばエアコンであり、以下、デバイスＤ１という）、別のデバイス３（例えば冷蔵庫であり、以下、デバイスＤ２という）、別のデバイス３（例えば照明であり、以下、デバイスＤ３という）からなる３つのデバイスのそれぞれに設定された１以上の状態値を含むものであり、図示しないが、ユーザのユーザＩＤに対応づけられている。このルールは、デバイスＤ１（エアコン）については電源、運転モード設定、温度設定値の３つの状態値を含む。また、このルールは、デバイスＤ２（冷蔵庫）については電源、冷蔵室温度レベル設定、冷凍室温度レベル設定の３つの設定値を含む。また、このルールは、デバイスＤ３（照明）については電源の状態値を含む。図示しないが、ルールは、例えば、各デバイスのアドレスなどを含む。
【００２２】
図２（ｂ）のルールは、例えば、別のユーザに使用されるデバイスＤ１（エアコン）、別のデバイス３（例えば洗濯機であり、以下、デバイスＤ４という）、デバイスＤ３（照明）からなる３つのデバイスのそれぞれに設定された１以上の状態値を含むものであり、図示しないが、ユーザのユーザＩＤに対応づけられている。このルールは、デバイスＤ１（エアコン）については電源、運転モード設定、風量設定の３つの状態値を含む。また、このルールは、デバイスＤ４（洗濯機）については電源、節電動作設定、洗濯・乾燥設定、洗濯乾燥遷移設定の４つの設定値を含む。また、このルールは、デバイスＤ３（照明）については節電動作設定、瞬間消費電力の状態値を含む。図示しないが、ルールは、例えば、各デバイスのアドレスなどを含む。
【００２３】
図３は、ルール生成部１５の動作を示すフローチャートである。
【００２４】
認証装置１を初めて利用するユーザは、端末２を操作し、これにより、端末２は、利用開始要求を認証装置１に送信する。
【００２５】
利用開始要求が受信される（Ｓ１：ＹＥＳ）と、ルール生成部１５は、デバイスの候補を端末２に提示し、選択を要求する（Ｓ３）。ユーザは、端末２を操作し、ユーザ宅で使用するデバイスを候補から選択する。
【００２６】
ルール生成部１５は、選択されたデバイスのリストを端末２から取得する（Ｓ５）。
【００２７】
次に、ルール生成部１５は端末２に対し、選択された各デバイスにつき、状態値の項目ごとに状態値の候補を提示する（Ｓ７）。ユーザは端末２を操作し、ユーザ宅で使用する際の状態値を選択する。
【００２８】
ルール生成部１５は、選択された状態値を端末２から取得し、これらの状態値を含むルールを生成する（Ｓ９）。
【００２９】
ルール生成部１５は、生成したルールをユーザのユーザＩＤに対応づけて、ルール記憶部１２に記憶させ（Ｓ１１）、ステップＳ１に戻る。
【００３０】
図４は、受付応答部１１、状態値取得部１３、状態判定部１４の動作を示すフローチャートである。
【００３１】
例えば、ウェブページの閲覧、動画の視聴、ネットワークに接続された金庫の解錠を行おうとするユーザは、端末２を操作し、これにより、端末２は、予め保持したユーザＩＤと認証要求を認証装置１に送信する。例えば、端末２のブラウザがＧＥＴやＰＯＳＴなどのメッセージを使用してユーザＩＤと認証要求を認証装置１に送信する。
【００３２】
受付応答部１１は、例えば、ＣＧＩにより、ユーザＩＤと認証要求を受信すると（Ｓ２１：ＹＥＳ）、ユーザＩＤを状態判定部１４に与え、状態判定部１４は、ルール記憶部１２からこのユーザＩＤに対応づけられたルールを読み出す（Ｓ２３）。該当ルールがなかったなら、ステップＳ２１に戻り、ルールがあったなら、状態判定部１４は、ルールを状態値取得部１３に与える。
【００３３】
状態値取得部１３は、ルールに含まれるデバイスのアドレスなどによりデバイスにアクセスし、例えば、家電（デバイス）とＩＰ通信する規格であるＥＣＨＯＮＥＴ  Ｌｉｔｅを使用し、該デバイスに状態値を問い合わせ、状態値を取得する（Ｓ２５）。状態値を取得してないデバイスがあれば（Ｓ２７：ＮＯ）、ステップＳ２５に戻る。
【００３４】
図５は、状態値取得で使用される電文の一例を示す図である。電文はＥＣＨＯＮＥＴ  Ｌｉｔｅで使用されるものである。
【００３５】
状態値取得部１３は、状態値を要求する旨を電文Ａに含ませ、デバイス３に送信する。デバイス３は電文Ａを受信すると、状態値を電文Ｂに含ませ、状態値取得部１３に送信する。
【００３６】
図４に戻り、状態判定部１４は、ルールに規定された全てのデバイスから状態値が取得されたなら（Ｓ２７：ＹＥＳ）、取得された各状態値がルールにおいて対応する状態値に一致するか否かを判定し（Ｓ２９）、判定結果を受付応答部１１に伝える。
【００３７】
受付応答部１１は、取得された各状態値がルールの状態値に一致すると判定されたなら、認証成功を示す認証結果を端末２に送信する一方、取得されたいずれかの状態値がルールの状態値に一致しないと判定されたなら、認証失敗を示す認証結果を端末２に送信する（Ｓ３１）。
【００３８】
受付応答部１１は、認証結果を、例えばＣＧＩの応答メッセージとして端末２に送信する。この後、制御はステップＳ２１に戻る。
【００３９】
端末２は、認証結果が認証成功を示すものなら、例えば、ウェブページの表示、動画の再生、金庫の解錠を行う一方、認証結果が認証失敗を示すものなら、これら動作を行わず、例えば、認証失敗の旨を画面に表示する。
【００４０】
以上のように、第１の実施の形態に係る認証装置によれば、ユーザが憶えたり、端末内に記憶させておくパスワードが不要なので、パスワードを紛失し、認証ができなくなることがなく、確実に認証を行うことができる。つまり、ユーザは日常通りにデバイスを使用すればよく、パスワードを記憶する必要がない。
【００４１】
また、照明（デバイス）が点灯し、かつ、センサ（デバイス）が１０分以上人を検知した場合に認証が成功し、これにより、ネットワークに接続された金庫が解錠する、といった使い方ができ、犯罪防止に役立てることができる。
【００４２】
[第２の実施の形態]
次に、本発明の第２の実施の形態について説明する。第２の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００４３】
図６は、第２の実施の形態に係る認証装置の構成を示す図である。
【００４４】
認証装置１は、受付応答部１１、ルール記憶部１２、状態値取得部１３、状態判定部１４、ルール生成部１５に加え、デバイスの普及率をデバイスごとに記憶するデバイス普及率記憶部１６、２つ以上のデバイスが同じユーザにより使用される確率である組み合わせ適用率が２つ以上のデバイスからなる組み合わせの種類ごとに記憶される組み合わせ適用率記憶部１７、１つのルールが他のルールに比べて特異である程度を示すルール特異度を算出するルール特異度算出部１８を備える。
【００４５】
図７は、デバイス普及率記憶部１６に記憶されるデバイス普及率の一例を示す図である。
【００４６】
デバイス普及率記憶部１６には、デバイスＤ１（エアコン）のデバイス普及率「０．８２」、デバイスＤ２（冷蔵庫）のデバイス普及率「０．９５」、デバイスＤ３「照明」のデバイス普及率「０．１５」などが記憶される。デバイス普及率が高ければ、他ユーザが同じデバイスを使用する確率が高く、よって、同じデバイスを規定するルールの特異性は低下する。デバイス普及率は、例えば国内の世帯数に対する出荷台数の割合などに基づいて定義される。
【００４７】
図８は、組み合わせ適用率記憶部１７に記憶される組み合わせ適用率の一例を示す図である。
【００４８】
組み合わせ適用率記憶部１７には、デバイスＤ１（エアコン）とデバイスＤ２（冷蔵庫）とが同じユーザに使用される確率である組み合わせ適用率「０．８５」、デバイスＤ１（エアコン）とデバイスＤ２（冷蔵庫）とデバイスＤ３「照明」が同じユーザに使用される確率である組み合わせ適用率「０．５０」、デバイスＤ１（エアコン）とデバイスＤ２（冷蔵庫）とデバイスＤ３「照明」とデバイスＤ４（洗濯機）が同じユーザに使用される確率である組み合わせ適用率「０．４５」などが記憶される。
【００４９】
図９は、ルール生成部１５、ルール特異度算出部１８の動作を示すフローチャートである。
【００５０】
ステップＳ９までは第１の実施の形態と同じなので説明を省略する。
【００５１】
ステップＳ９でルールが生成されたら、ルール特異度算出部１８は、ルールで規定される各デバイスにつき、デバイス普及率記憶部１６からデバイス普及率を読み出す（Ｓ１０１）。
【００５２】
また、ルール特異度算出部１８は、ルール記憶部１２から、ステップＳ９で生成されたルール以外の他のルールを読み出す（Ｓ１０３）。
【００５３】
次に、ルール特異度算出部１８は、各デバイスについて、ステップＳ９で生成されたルール内の当該デバイスについての状態値が特異である程度を示す状態値特異度をステップＳ９で生成されたルールとステップＳ１０３で読み出した他のルールを用いて算出する（Ｓ１０５）。
【００５４】
例えば、デバイスＤ１（エアコン）については、現在が冬であるなら、他のルールでは高温設定の状態値が多く、よって、ステップＳ９で生成されたルール内のデバイスＤ１（エアコン）についての温度設定の状態値が低温設定なら、状態値特異度は高くなる。例えば、ルール特異度算出部１８は、温度設定の状態値の平均とステップＳ９で生成されたルール内の温度設定の状態値の差分が大きいなら状態値特異度を高くし、差分が小さいなら状態値特異度を低くする。
【００５５】
次に、ルール特異度算出部１８は、ステップＳ９で生成されたルールで規定される各デバイスにつき、デバイス普及率と状態値特異度の積であるデバイス特異度を算出する（Ｓ１０７）。
【００５６】
次に、ルール特異度算出部１８は、組み合わせ適用率記憶部１７から、ステップＳ９で生成されたルールで規定される各デバイスの全てが同じユーザに使用される確率である組み合わせ適用率を読み出す（Ｓ１０９）。
【００５７】
次に、ルール特異度算出部１８は、各デバイス特異度と組み合わせ適用率の積であるルール特異度を算出する（Ｓ１１１）。
【００５８】
ルール生成部１５は、ステップＳ１１１で算出されたルール特異度を端末２に提示する（Ｓ１１３）。
【００５９】
ユーザはルール特異度が高いと考えるなら、端末２を操作し、ルールを使用することを選択し、一方、ルール特異度が低いと考えるなら、端末２を操作し、別のルールを生成することを選択する（Ｓ１１５）。
【００６０】
ルール生成部１５は、別のルールを生成することが選択されたなら（Ｓ１１７：ＮＯ）、ステップＳ３に戻る。
【００６１】
一方、ルール生成部１５は、ルールを使用することが選択されたなら（Ｓ１１７：ＹＥＳ）、生成したルールをユーザのユーザＩＤに対応づけて、ルール記憶部１２に記憶させ（Ｓ１１）、ステップＳ１に戻る。
【００６２】
図１０は、ルール特異度の算出方法を示す模式図である。
【００６３】
ルールでデバイスＤ１、Ｄ２、Ｄ３が規定される場合、デバイスＤ１のデバイス普及率Ｐ１と状態値特異度Ｓ１によりデバイスＤ１のデバイス特異度が算出される。デバイスＤ２のデバイス普及率Ｐ２と状態値特異度Ｓ２によりデバイスＤ２のデバイス特異度が算出される。デバイスＤ３のデバイス普及率Ｐ３と状態値特異度Ｓ３によりデバイスＤ３のデバイス特異度が算出される。デバイスＤ１、Ｄ２、Ｄ３の組の組み合わせ適用率とデバイスＤ１、Ｄ２、Ｄ３の各デバイス特異度によりルール特異度が算出される。
【００６４】
図１１は、デバイス普及率、状態値特異度、デバイス特異度、ルール特異度の一例を示す図である。
【００６５】
ステップＳ９で生成されたルールでデバイスＤ１（エアコン）、デバイスＤ２（冷蔵庫）、デバイスＤ３「照明」が規定される場合、ステップＳ１０１では、デバイスＤ１（エアコン）のデバイス普及率「０．８２」、デバイスＤ２（冷蔵庫）のデバイス普及率「０．９５」、デバイスＤ３「照明」のデバイス普及率「０．１５」が読み出される。
【００６６】
ステップＳ１０５では、デバイスＤ１（エアコン）の状態値特異度「０．５５」、デバイスＤ２（冷蔵庫）の状態値特異度「０．２３」、デバイスＤ３「照明」の状態値特異度「０．８５」が算出される。
【００６７】
ステップＳ１０７では、デバイスＤ１（エアコン）のデバイス特異度「０．４５（＝０．８２×０．５５）」が算出され、デバイスＤ２（冷蔵庫）のデバイス特異度「０．２２（＝０．９５×０．２３）」が算出され、デバイスＤ３「照明」のデバイス特異度「０．１３（＝０．１５×０．８５）」が算出される。
【００６８】
ステップＳ１０９では、デバイスＤ１（エアコン）、デバイスＤ２（冷蔵庫）、デバイスＤ３「照明」の全てが同じユーザに使用される確率である組み合わせ適用率「０．５０」が読み出される。
【００６９】
ステップＳ１１１では、ステップＳ９で生成されたルールが特異である程度を示すルール特異度「０．００６３（＝０．４５×０．２２×０．１３×０．５０＝０．６３％）」が算出される。
【００７０】
ステップＳ１１３でユーザは、ルール特異度「０．００６３（＝０．６３％）」、すなわち、１００００個のルールの内で同じルールの数は６３であるということを示すルール特異度を参考に、これが高いと考えるなら、ルールを使用することを選択し、低いと考えるなら、別のルールを生成することを選択する。
【００７１】
以上のように、第２の実施の形態に係る認証装置によれば、ユーザはルール特異度を参照することにより、認証の信頼性を確認しながら、ルールを使用するか否かを判断できる。
【００７２】
なお、各実施の形態に係る認証装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００７３】
１  認証装置
２  端末
３、Ｄ１、Ｄ２、Ｄ３、Ｄ４  デバイス
１１  受付応答部
１２  ルール記憶部
１３  状態値取得部
１４  状態判定部
１５  ルール生成部
１６  デバイス普及率記憶部
１７  組み合わせ適用率記憶部
１８  ルール特異度算出部
【図１】
2015207083.tif 000003
【図２】
2015207083.tif 000004
【図３】
2015207083.tif 000005
【図４】
2015207083.tif 000006
【図５】
2015207083.tif 000007
【図６】
2015207083.tif 000008
【図７】
2015207083.tif 000009
【図８】
2015207083.tif 000010
【図９】
2015207083.tif 000011
【図１０】
2015207083.tif 000012
【図１１】
2015207083.tif 000013